(57)【要約】      （修正有）【課題】内容物の取り出しが容易にでき、より詳しくは、インフレーションフィルム製の袋であり、手で容易に横方向１箇所、縦方向２箇所、すなわち三辺の開封ができ、強固なブロック状または、粘着性の内容物の取り出しも容易な包装袋を提供する。【解決手段】袋１を構成するフィルムとして、二方向に易引裂可能な熱可塑性インフレーションフィルムを採用し、袋の側端部、かつ底部近傍の１箇所に横方向の開封用ノッチ３と、該横方向の開封用ノッチ３設置側の辺を開封するための縦方向の開封用ノッチ５が開口部である上端部に設置され、該横方向の開封用ノッチ３設置側との対辺を開封するための縦方向の開封用ノッチ５が上端部または下端部に設置されたことを特徴とする。【選択図】図１
0003206050.tif 000002
【実用新案登録請求の範囲】
【請求項１】
袋を形成するフィルムとして、筒状に形成されたインフレーションフィルムであり、かつ、縦横二方向に易引裂性のポリオレフィンフィルムを用い、袋の側端部、かつ、底部近傍の１箇所に横方向の開封用ノッチと、該横方向の開封用ノッチ設置側の辺を開封するための縦方向の開封用ノッチが開口部である上端部に設置され、該横方向の開封用ノッチ設置側との対辺を開封するための縦方向の開封用ノッチが上端部または下端部に設置されることを特徴とする、三辺易開封性包装袋。
【請求項２】
該横方向の開封用ノッチが、該横方向の開封用ノッチの周囲を囲む形の線状ヒートシール部を設けてなることを特徴とする、請求項１の三辺易開封性包装袋。
【請求項３】
該筒状に形成されたインフレーションフィルムをヒートシールにより底部を形成され、反対部分に開口部を設けた袋であり、該横方向の開封用ノッチの周囲を囲む形の線状ヒートシール部が袋底部より１０ｃｍ以内の側端部に設置され、かつ、縦方向の開封用ノッチが、それぞれ袋側端部から５ｃｍ以内の上端部または下端部に設置されていることを特徴とする、請求項１ないし２のいずれかに記載の三辺易開封性包装袋。
【請求項４】
該易引裂性のポリオレフィンフィルムが、中間層に環状ポリオレフィン系樹脂とポリエチレン系樹脂を含有する層を有するポリエチレン系多層インフレーションフィルムであることを特徴とする、請求項１ないし３のいずれかに記載の三辺易開封性包装袋。
【請求項５】
該易引裂性のポリオレフィンフィルムが、ＭＤ方向のエレメンドルフ引裂強度およびＴＤ方向のエレメンドルフ引裂強度が、それぞれ５０Ｎ／ｍｍ以下であるフィルムであることを特徴とする、請求項１ないし４のいずれかに記載の三辺易開封性包装袋。
【考案の詳細な説明】
【技術分野】
【０００１】  本考案は、手等で容易に開封することが可能であり、かつ、内容物の取り出しが容易なインフレーションフィルムを用いた袋に関する。
【背景技術】
【０００２】  従来より、内容物を充填するためにインフレーションフィルムを用いて袋を形成する方法としては、筒状に押出成形されたフィルムをヒートシールして底部を形成し、カットして袋化する方法がある。また、この袋に内容物を充填したのちに上端部を密封して包装体とする方法が一般的である。【０００３】  しかし、通常のポリエチレン系インフレーションフィルムは、樹脂に粘りがあり、容易に手で引裂くことはできない。そこで、ポリエチレンと環状ポリオレフィン系樹脂からなる中間層を有するポリエチレン系多層フィルムを用いることにより、易引裂性を実現するための提案がなされている。（特許文献１）【０００４】  一方、開封を容易にする工夫としては、従来より、引裂開始点を示すノッチ（切り込み）を入れる方法や、ミシン線等を付与する方法が知られており、ノッチ形状としては、切り込みＩノッチ、切り欠きＶカット、鋸歯状カットなどが知られている。
こうした通常のノッチを形成すると密封性を阻害する場合が多いため、インフレーションフィルムのヒートシールを行っていない側端部にノッチを儲け、その周囲をヒートシールした易開封性の袋も提案されている。（特許文献２）【０００５】  また、インフレーションフィルムの側端部のノッチの形状を縦横方向のノッチつまり、略十字形または、略Ｔ字形として、縦横に開封するための改良も提案されている。（特許文献３）【０００６】  しかし、包装体に内包する内容物が、たとえば水分を多く含んだ食品であり、充填後に冷凍したものである場合等には、内容物は、包装体内で固化し強固なブロック状となり、流動性は無く、また分割して取り出すのも困難な状態となるため、容易には取り出すことができない。また、包装体に内包する内容物が、粘着性の強いものの場合には、内容物をロス無く取り出すことが困難であり、これらの取り出しを容易にするために、三辺に易開封性を付与した袋が求められていた。【０００７】  尚、特許文献３においては、横方向の開封用ノッチを囲む形の線状ヒートシール部を設ける必要があるため、開封後もこの部分が袋の表面と裏面の接着部分として残り、開封状態としては不十分であった。
【先行技術文献】
【特許文献】
【０００８】
【特許文献１】特開２０１２−０００８８５号公報
【特許文献２】特開平７−３２９９９１号公報
【特許文献３】実願２０１３−１６３９号公報
【考案の概要】
【考案が解決しようとする課題】
【０００９】  そこで、本考案の目的は、内容物の取り出しが容易にできる包装袋を提供することにあり、より詳しくは、インフレーションフィルム製の袋に、手で容易に横方向１箇所、縦方向２箇所、すなわち三辺の開封ができ、強固なブロック状または、粘着性の内容物の取り出しも容易な包装袋を提供することにある。
【課題を解決するための手段】
【００１０】  本考案者等は、かかる課題を解決するため検討した結果、ノッチの形状、配置、数を工夫し、かつ、袋に使用するインフレーションフィルムとの組合せによって、手で容易に横方向１箇所、縦方向２箇所、すなわち三辺の開封ができ、強固なブロック状または、粘着性の内容物の取り出しも容易な包装袋が得られることを見出し、本考案に到達した。【００１１】  すなわち、本考案の特徴は、袋を構成するフィルムとして、二方向、すなわち、横方向（ＴＤ方向）にも、縦方向（ＭＤ方向）にも、易引裂可能な熱可塑性インフレーションフィルムを採用し、袋の側端部、かつ底部近傍の１箇所に横方向の開封用ノッチと、該横方向の開封用ノッチ設置側の辺を開封するための縦方向の開封用ノッチが開口部である上端部に設置され、該横方向の開封用ノッチ設置側との対辺を開封するための縦方向の開封用ノッチが上端部または下端部に設置された開封用ノッチを有することである。尚、ここで底部近傍とは、底部より袋の長さの３分の１未満の位置を意味する。【００１２】  好ましくは、横方向の開封用ノッチの周囲を囲む形の線状ヒートシール部が袋底部より１０ｃｍ以内の側端部に設置され、かつ、縦方向の開封用ノッチが、それぞれ袋側端部から５ｃｍ以内の上端部または下端部に設置され、さらに好ましくは、横方向の開封用ノッチの周囲を囲む形の線状ヒートシール部が袋底部より５ｃｍ以内の側端部に設置され、かつ、縦方向の開封用ノッチが、それぞれ袋側端部から３ｃｍ以内の上端部または下端部に設置されてことが望ましい。
横方向の開封用ノッチの周囲を囲む形の線状ヒートシール部が袋底部より１０ｃｍを超え、または縦方向の開封用ノッチが、それぞれ袋側端部から５ｃｍを超えて設置されると、三辺開封後の袋有効面積が小さくなり、効率的ではない。【００１３】  ただし、該横方向の開封用ノッチ設置側の辺を開封するための縦方向の開封用ノッチは、該横方向の開封用ノッチの周囲を囲む形の線状ヒートシール部を完全に切り取れる位置でなければならない。この切り取りが不十分であるとこの周囲を囲む形の線状ヒートシール部の一部が残ることになり、三辺の開封が不十分となり、好ましくない。よって、この周囲を囲む形の線状ヒートシール部の大きさは、側端部から３ｃｍ未満であることが、好ましい。
【考案の効果】
【００１４】  かかる構成によれば、鋏等の道具を要することなく、手で袋の三辺を容易に開封することが可能となり、強固なブロック状の内容物であっても、容易に取り出すことが可能となる。また、三辺を開封することができるため、袋を平面状に展開することができ、粘着性の内容物であっても、ロス無く取り出すことが容易な包装袋を提供できる。
【図面の簡単な説明】
【００１５】
【図１】  本考案の三辺易開封性包装袋の一例であって、横方向の開封用ノッチが底シール部近傍の側端部に設置され、二つの縦方向の開封用ノッチが開口部である上端部に設置されたものであり、内容物を充填する前の状態を示す図である。
【図２】  本考案の三辺易開封性包装袋の一例であって、横方向の開封用ノッチが底シール部近傍の側端部に設置され、横方向の開封用ノッチ設置側の辺を開封するための縦方向の開封用ノッチが開口部である上端部に設置され、横方向の開封用ノッチ設置側との対辺を開封するための縦方向の開封用ノッチが底シール側下端に設置されたものであり、内容物を充填する前の状態を示す図である。
【図３】  本考案の三辺易開封性包装袋の一例であって、図１の包装袋に内容物を充填し、開口部をシールして、内容物を封入した包装体となった状態を示す図である。
【図４】  本考案の三辺易開封性包装袋の一例であって、図３の包装体の横方向に開封中の状態を示す図である。
【図５】  本考案の三辺易開封性包装袋の一例であって、図４の包装体の縦方向二辺を開封中の状態を示す図である。
【図６】  本考案の三辺易開封性包装袋の一例であって、三辺を開封した後に、包装袋を平面状に展開し、粘着性の内容物をへら等により、取り出す状態を示す図である。
【考案を実施するための形態】
【００１６】  以下、本考案の三辺易開封性包装袋について、詳細に説明する。
１．（筒状に形成されたインフレーションフィルム）
本考案の包装袋は、筒状に形成されたインフレーションフィルムであり、かつ、縦横二方向に易引裂性のポリオレフィンフィルムを用いることを特徴とする。
縦横二方向に易引裂性のポリオレフィンフィルムとは、フィルムの縦方向にも横方向にも易引裂き可能なフィルムを意味し、具体的には、フィルム製造時にフィルムを引き取る方向であるフィルム流れ方向（ＭＤ）のエレメンドルフ引裂き強度と、垂直方向（ＴＤ）のエレメンドルフ引裂き強度（ＪＩＳ  Ｋ７１２８−２に準拠して測定されるエレメンドルフ引裂き強度）が、共に５０Ｎ／ｍｍ以下のフィンフレーションフィルムにより形成されるとよい。
筒状に形成されたインフレーションフィルムであり、かつ、縦横二方向に易引裂性のポリオレフィンフィルムとしては、上記物性を有するものであれば適宜公知の樹脂構成のフィルムを用いることができるが、たとえは、特開２０１２−０００８８５号公報に記載の様な、中間層に環状ポリオレフィン系樹脂とポリエチレン系樹脂を含有する層を有するポリエチレン系多層インフレーションフィルムを用いることが挙げられる。
【００１７】２．フィルムを用いた包装袋の製造
本考案に係る包装袋は、上記筒状に形成されたインフレーションフィルムを用いて、従来公知の方法により製化できる。
該袋化としては、袋の底部をヒートシールにより形成したのちカットし、開口部である上部を形成する。使用に供するときは、この開口部より内容物を充填し、上部をヒートシールにより密閉する。
【００１８】３．ノッチ形状とノッチを設ける位置
図１は、本考案による包装袋の一実施例の正面図を示し、インフレーション成形して得られた筒状のフィルム（１）の下端面をヒートシール（２）して底部を形成することにより袋状と成し、該底部近傍、かつ側端部の１箇所に横方向の開封用ノッチ（３）を設け、該横方向の開封用ノッチ（３）の周囲を囲む形の線状ヒートシール部（４）を設け、該横方向の開封用ノッチ設置側の辺を開封するための縦方向の開封用ノッチ（５）が開口部である上端部に設置され、該横方向の開封用ノッチ設置側との対辺を開封するための縦方向の開封用ノッチ（６）が上端部に設置された例である。なお、該縦方向の開封用ノッチ（５）は、該線状ヒートシール部（４）を完全に切り取る位置に設置される必要がある。
該ノッチ形状としては、切り込みＩノッチ、切り欠きＶカット、鋸歯状カット等任意の形状を取りうる。
図２は、図１で示した該横方向の開封用ノッチ設置側との対辺を開封するための縦方向の開封用ノッチ（６）が下端部に設置された例である。
【００１９】  図３は、図１で包装袋に内容物を充填し、上端部をヒートシール（８）により閉じた包装体の例である。
【００２０】  図４は、図３で示した包装体の該横方向の開封用ノッチ（３）から、横方向に開封した段階を示した例である。
【００２１】  図５は、図４で示した包装体の該横方向の開封用ノッチ設置側の辺を開封するための縦方向の開封用ノッチ（５）および、該横方向の開封用ノッチ設置側との対辺を開封するための縦方向の開封用ノッチ（６）により開封して、袋の三辺を開封した段階を示した例である。
【００２２】  図６は、図５で示した三辺を開封した包装体をさらに、平面状に展開し、内容物（９）をへら等（１０）で取り出す状態の例である。
【実施例】
【００２３】  以下に実施例を用いて、本考案を更に詳細に説明するが、本考案はその趣旨を逸脱しない限り、これによって限定されるものではない。
１．インフレーション樹脂フィルムの製造
［使用原料］
下記樹脂組成からなる外層／中間層／内層の三種三層のポリエチレン製多層フィルムを層比１：１：１によりインフレーション成形機により成形して厚さ５０μｍ、幅４００ｍｍの筒状インフレーションフィルムを得た。
外層  ：Ｌ−ＬＤＰＥ樹脂（ＭＦＲ＝０．９、密度＝０．９２）
中間層：環状ポリオレフィン系樹脂（ＭＦＲ＝１．５、密度＝０．９２、商品名ＫＰ−１０２（日本ポリエチレン株式会社製））
内層  ：Ｌ−ＬＤＰＥ樹脂（ＭＦＲ＝０．９、密度＝０．９２）【００２４】  得られたインフレーションフィルムのエレメンドルフ引裂き強度は、ＭＤ方向（３．５Ｎ／ｍｍ）、ＴＤ方向（６．８Ｎ／ｍｍ）であった。【００２５】［袋形状およびノッチ部の位置］
得られた筒状のインフレーションフィルムを用いて図１に示すように袋化した。
袋幅を４００ｍｍ、袋長さを４５０ｍｍ、底部から１０ｍｍの位置に底部シールを施した。
横方向の開封用ノッチ（３）は、下端部より５ｃｍ、周囲を囲む形の線状ヒートシール部（４）は、半径２ｃｍの半円形とした。該横方向の開封用ノッチ設置側の辺を開封するための縦方向の開封用ノッチ（５）は、上部かつ側端部より２．５ｃｍ、対辺を開封するための縦方向の開封用ノッチ（６）は、上部かつ対辺側端部より２．５ｃｍとした。
なお、各ノッチの形状は、長さ１０ｍｍの切り込みＩノッチとし、三辺易開封性の袋を得た。【００２６】［内容物の封入および取り出し１］
得られた三辺易開封性の袋に、２．５ｋｇの刻んだ生姜を入れ、空気をできるだけ抜いて上端部から２０ｍｍの位置でヒートシールを行い、図３に示すような包装体を得た。この包装体を平に均しマイナス１８℃に２４ｈｒ保存し冷凍した。
まず、横方向の開封用ノッチ（３）より横方向の１辺のみ開封して、内容物の取り出しを試みた。しかし、当該内容物は、冷凍により強固に固化しており、取出しが困難であった。
次に、該横方向の開封用ノッチ設置側の辺を開封するための縦方向の開封用ノッチ（５）および対辺を開封するための縦方向の開封用ノッチ（６）を開封し、取り出しを行ったところ、何らの問題もなく容易に取り出すことができた。【００２７】［内容物の封入および取り出し２］
得られた三辺易開封性の袋に、剥き身のあさり、５ｍｍ角に刻んだしいたけおよび筍が混入された粥状の米１．０ｋｇを入れ、上端部から２０ｍｍの位置でヒートシールを行い、図３に示すような包装体を得た。
まず、横方向の開封用ノッチ（３）より横方向の１辺のみ開封して、内容物の取り出しを試みた。しかし、当該内容物は、粘性が強く、主要部分の取り出しは容易に行えるものの、残留部分の取り出しは、困難であった。
次に、該横方向の開封用ノッチ設置側の辺を開封するための縦方向の開封用ノッチ（５）および対辺を開封するための縦方向の開封用ノッチ（６）を開封し、図６のように平面状に展開し、ゴム製ヘラ（１０）を用いると残留部分のほとんどを容易に取り出すことができた。
【符号の説明】  １・・包装袋、  ２・・底シール部、  ３・・横方向の開封用ノッチ、  ４・・横方向の開封用ノッチ（３）の周囲を囲む形の線状ヒートシール部、  ５・・横方向の開封用ノッチ（３）が設置されている辺を開封するための縦方向の開封用ノッチ、  ６・・横方向の開封用ノッチ（３）が設置されている辺の対辺を開封するための縦方向の開封用ノッチ、  ７・・密封用上部シール予定部分、  ８・・上部シール部、  ９・・粘着性の内容物、  １０・・へら
【図１】
0003206050.tif 000003
【図２】
0003206050.tif 000004
【図３】
0003206050.tif 000005
【図４】
0003206050.tif 000006
【図５】
0003206050.tif 000007
【図６】
0003206050.tif 000008